(57)【要約】      （修正有）【課題】情報の表示を行う際、情報の受け手であるユーザに対して、情報の一覧性を確保しつつ詳細情報を提供できるようにする。【解決手段】対テレビ通信部２１０は、テレビ受像機が表示する番組一覧情報において選択されている番組を示す情報として、番組一覧情報およびカーソル位置情報を取得する。また、番組情報取得部２３０は、当該選択されている番組の番組情報を取得する。そして、対リモコン通信部２２０は、番組情報取得部が取得した番組情報をリモコン装置へ通知する。【選択図】図４
2014053668.tif 000002
【特許請求の範囲】
【請求項１】
第１の表示装置が表示する複数の項目を含む一覧情報のうち、選択されている選択項目を示す情報を取得する選択情報取得部と、
前記選択情報取得部が取得した情報が示す選択項目の詳細情報を取得する詳細情報取得部と、
前記詳細情報取得部が取得した選択項目の詳細情報であって、第２の表示装置に表示させる詳細情報を通知する詳細情報通知部と、
を具備することを特徴とする装置。
【請求項２】
前記複数の項目を示す情報は番組一覧情報であり、
前記詳細情報取得部は、前記選択項目の詳細情報として番組情報を取得することを特徴とする請求項１に記載の装置。
【請求項３】
複数の項目を含む一覧情報を表示する第１の表示装置の表示部と、
前記第１の表示装置が表示する一覧情報のうち、選択されている選択項目を示す情報を取得する選択情報取得部と、
前記選択情報取得部が取得した情報が示す選択項目の詳細情報を取得する詳細情報取得部と、
前記詳細情報取得部が取得した選択項目の詳細情報を第２の表示装置へ通知する詳細情報通知部と、
前記詳細情報通知部が通知した前記詳細情報を表示する第２の表示装置の表示部と、
を具備することを特徴とする表示システム。
【請求項４】
装置の連動方法であって、
第１の表示装置が表示する複数の項目を含む一覧情報のうち、選択されている選択項目を示す情報を取得する選択情報取得ステップと、
前記選択情報取得ステップにて取得した選択項目の詳細情報を取得する詳細情報取得ステップと、
前記詳細情報取得ステップにて取得した選択項目の詳細情報であって、第２の表示装置に表示させる詳細情報を通知する詳細情報通知ステップと、
を具備することを特徴とする連動方法。
【請求項５】
コンピュータに、
第１の表示装置が表示する複数の項目を含む一覧情報のうち、選択されている選択項目を示す情報を取得する選択情報取得ステップと、
前記選択情報取得ステップにて取得した選択項目の詳細情報を取得する詳細情報取得ステップと、
前記詳細情報取得ステップにて取得した選択項目の詳細情報であって、第２の表示装置に表示させる詳細情報を通知する詳細情報通知ステップと、
を実行させるためのプログラム。
【発明の詳細な説明】
【技術分野】
【０００１】
本発明は、装置、表示システム、連動方法およびプログラム。
【背景技術】
【０００２】
文字等を表示する機能を有するリモコン装置が一般的に用いられるようになっており、リモコンが表示する情報についても幾つかの提案がなされている。
例えば、特許文献１に記載の双方向リモコン装置は、被制御装置を介してコンテンツ情報を受信するための受信部と、受信部で受信したコンテンツ情報に基づきその内容を表示するための表示部と、表示部に表示された情報に基づき操作者が選択指示するための入力部と、入力部の入力情報に基づき被制御装置を操作するための操作情報を送信する送信部と、受信部と表示部と送信部を制御する制御部とから構成されている。
これにより、特許文献１に記載の双方向リモコン装置では、電子番組ガイドサービス等の各種サービスを利用する際に、サービス内容をテレビ画面に表示させることなく、手元にあるリモコン上に表示させながら各種設定等を行うことにより各種サービスを受けることができる、とされている。
【先行技術文献】
【特許文献】
【０００３】
【特許文献１】特開２００４−２６６７９９号公報
【発明の概要】
【発明が解決しようとする課題】
【０００４】
一般的に、文字などを表示する機能を有するリモコン装置では、当該リモコン装置の小型化や製造コスト低減の要請から、表示領域のサイズが限定され、表示可能な情報の量が限られている。このように表示領域のサイズが限定されている場合、情報の一覧性を確保しつつ詳細情報をユーザに提供することが困難である。
例えば、特許文献１に記載の双方向リモコン装置のように、リモコン装置が番組一覧情報を表示する場合、画面サイズの制約により、表示するチャンネル数や、表示対象とする時間帯が制限されるなど表示可能な範囲が限定されてしまい、番組情報の一覧性が損なわれてしまう。また、表示サイズの制約により表示する情報の内容も限定されてしまい、詳細な情報を提供することができない。
【０００５】
本発明は、このような事情に鑑みてなされたもので、その目的は、情報の一覧性を確保しつつ詳細情報を提供することのできる装置、表示システム、連動方法およびプログラムを提供することにある。
【課題を解決するための手段】
【０００６】
この発明は上述した課題を解決するためになされたもので、本発明の一態様による装置は、第１の表示装置が表示する複数の項目を含む一覧情報のうち、選択されている選択項目を示す情報を取得する選択情報取得部と、前記選択情報取得部が取得した情報が示す選択項目の詳細情報を取得する詳細情報取得部と、前記詳細情報取得部が取得した選択項目の詳細情報であって、第２の表示装置に表示させる詳細情報を通知する詳細情報通知部と、を具備することを特徴とする。
【０００７】
また、本発明の一態様による装置は、上述の装置であって、前記複数の項目を示す情報は番組一覧情報であり、前記詳細情報取得部は、前記選択項目の詳細情報として番組情報を取得することを特徴とする。
【０００８】
また、本発明の一態様による表示システムは、複数の項目を含む一覧情報を表示する第１の表示装置の表示部と、前記第１の表示装置が表示する一覧情報のうち、選択されている選択項目を示す情報を取得する選択情報取得部と、前記選択情報取得部が取得した情報が示す選択項目の詳細情報を取得する詳細情報取得部と、前記詳細情報取得部が取得した選択項目の詳細情報を第２の表示装置へ通知する詳細情報通知部と、前記詳細情報通知部が通知した前記詳細情報を表示する第２の表示装置の表示部と、を具備することを特徴とする。
【０００９】
また、本発明の一態様による連動方法は、装置の連動方法であって、第１の表示装置が表示する複数の項目を含む一覧情報のうち、選択されている選択項目を示す情報を取得する選択情報取得ステップと、前記選択情報取得ステップにて取得した選択項目の詳細情報を取得する詳細情報取得ステップと、前記詳細情報取得ステップにて取得した選択項目の詳細情報であって、第２の表示装置に表示させる詳細情報を通知する詳細情報通知ステップと、を具備することを特徴とする。
【００１０】
また、本発明の一態様によるプログラムは、コンピュータに、第１の表示装置が表示する複数の項目を含む一覧情報のうち、選択されている選択項目を示す情報を取得する選択情報取得ステップと、前記選択情報取得ステップにて取得した選択項目の詳細情報を取得する詳細情報取得ステップと、前記詳細情報取得ステップにて取得した選択項目の詳細情報であって、第２の表示装置に表示させる詳細情報を通知する詳細情報通知ステップと、を実行させるためのプログラムである。
【発明の効果】
【００１１】
本発明の実施形態によれば、情報の受け手であるユーザに対して、情報の一覧性を確保しつつ詳細情報を提供することができる。
【図面の簡単な説明】
【００１２】
【図１】本発明の第１の実施形態における表示システムの装置構成を示す概略構成図である。
【図２】同実施形態の表示システムにおける連動表示の例を示す説明図である。
【図３】同実施形態におけるテレビ受像機の機能構成を示す概略ブロック図である。
【図４】同実施形態における連動装置の機能構成を示す概略ブロック図である。
【図５】同実施形態におけるリモコン装置の機能構成を示す概略ブロック図である。
【図６】同実施形態において、表示システムが行う処理の例を示すシーケンス図である。
【図７】同実施形態において、連動装置が行う処理の手順を示すフローチャートである。
【図８】本発明の第２の実施形態における表示システムの装置構成を示す説明図である。
【図９】同実施形態におけるテレビ受像機の機能構成を示す概略ブロック図である。
【図１０】同実施形態における連動装置の機能構成を示す概略ブロック図である。
【図１１】同実施形態において、表示システムが行う処理の例を示すシーケンス図である。
【図１２】同実施形態において、連動装置が行う処理の手順を示すフローチャートである。
【図１３】本発明の第３の実施形態における表示システムの装置構成を示す説明図である。
【図１４】同実施形態におけるテレビ受像機の機能構成を示す概略ブロック図である。
【発明を実施するための形態】
【００１３】
＜第１の実施形態＞
以下、図面を参照して、本発明の実施の形態について説明する。
図１は、本発明の第１の実施形態における表示システムの装置構成を示す概略構成図である。同図において、表示システム１は、テレビ受像機１００と、連動装置２００と、リモコン装置３００とを具備する。
テレビ受像機１００は、テレビ番組を取得して表示する機能を有するとともに、番組一覧情報表示機能をも有するテレビである。ここで、テレビ受像機１００は、第１の表示装置の一例であり、複数の項目を含む番組一覧情報を表示するとともに、当該複数の項目（番組）のうち選択されている項目（選択項目）をも示して表示する。
具体的には、テレビ受像機１００は、番組一覧情報（番組表）を取得して表示する。その際、テレビ受像機１００は、番組一覧情報において選択されている番組の欄にカーソルを重ねて表示することで、選択されている番組を示す。ここでいう番組は、テレビ番組、すなわち、放送コンテンツとしての動画像および音声である。ここで、番組一覧情報は、本発明における一覧情報の一例である。また、番組一覧情報にて示される各番組は、本発明の実施形態における項目の一例である。
【００１４】
連動装置２００は、テレビ受像機１００が表示している番組一覧情報において選択されている番組の番組情報を取得して、リモコン装置３００へ通知（送信）する。連動装置２００は、本発明の実施形態における装置の一例である。
リモコン装置３００は、テレビ受像機１００のリモコン装置であり、ユーザ操作を受け付けて、受け付けた操作に応じた指示をテレビ受像機１００へ通知（送信）する。ここで、リモコン装置３００は、本発明における第２の表示装置の一例であり、連動装置２００が通知する番組情報を表示する。番組情報は、本発明における詳細情報の一例であり、番組の内容など番組に関するより詳細な情報を含む。
【００１５】
図２は、表示システム１における連動表示の例を示す説明図である。
図２（Ａ）は、テレビ受像機１００における番組一覧情報の表示例を示し、図２（Ｂ）は、リモコン装置３００における番組情報の表示例を示す。
図２（Ａ）において、テレビ受像機１００は、番組一覧情報を表示する際、選択されている情報の欄にカーソルｃｓｒを重ねて表示することで、選択されている情報を示している。また、図２（Ｂ）において、リモコン装置３００は、番組一覧情報において選択されている番組であるＴＶショッピングの番組情報を、表示画面の領域Ａ１１に表示し、また、ユーザ操作を受け付ける操作キーを領域Ａ１２に表示している。
【００１６】
このように、テレビ受像機１００が表示する番組一覧情報において選択されている番組の番組情報をリモコン装置３００が表示する点において、テレビ受像機１００とリモコン装置３００とは連動して情報を表示している。
また、テレビ受像機１００が番組一覧情報を表示することで、情報の一覧性を確保することができ、また、リモコン装置３００が番組情報の詳細情報を表示することで、詳細情報をユーザに提供することができる。
【００１７】
特に、テレビ受像機１００は、番組情報を表示する必要が無い点で、表示画面全体を番組一覧情報の表示に用いることができる。例えば、図２（Ａ）においてカーソルにて示されている欄のように、表示されている文字を読み取ることができない場合でも、テレビ受像機１００は、この欄を大きくして文字を読み取れるように表示する必要がない。従って、番組一覧情報を表示する際、表示するチャンネル数や、表示対象とする時間帯をより制限する必要がない。この点において、テレビ受像機１００は、情報の一覧性を確保することができる。
また、リモコン装置３００は、ユーザの手元で用いられるので、比較的小さい文字で番組情報を表示しても、ユーザは、当該番組情報を読み取ることができる。この点において、リモコン装置３００は、より詳細な情報をユーザに提供することができる。
【００１８】
なお、リモコン装置３００が表示する操作キーは領域Ａ１２に示すものに限らない。例えば、テレビ受像機１００が録画機能を有する場合、リモコン装置３００は、決定キーに加えて、録画予約ボタンを表示する。なお、決定キーは、表示する番組の選択後に、選択された番組の表示を実行するための番組表示ボタンとして用いられる。
また、リモコン装置３００の表示する操作キーはテレビ受像機１００の状態に応じて変化することができる。例えば、テレビ受像機１００が番組を表示している場合、リモコン装置３００は、チャンネルボタンや音量ボタン等を表示する。
【００１９】
図３は、テレビ受像機１００の機能構成を示す概略ブロック図である。同図において、テレビ受像機１００は、通信部１１０と、テレビ番組・番組一覧情報受信部１２０と、表示部１３０と、制御部１９０とを具備する。制御部１９０は、通信制御部１９１と、テレビ番組・番組一覧情報受信制御部１９２と、テレビ番組処理部１９３と、番組一覧情報処理部１９４と、カーソル処理部１９５と、表示制御部１９６とを具備する。
【００２０】
通信部１１０は、連動装置２００と通信を行う。特に、通信部１１０は、リモコン装置３００がユーザ操作に応じて通知する指示を、連動装置２００を介して受信する。また、通信部１１０は、テレビ番組・番組一覧情報受信部１２０が受信する番組一覧情報や、カーソル処理部１９５が設定するカーソル位置情報を、連動装置２００へ送信する。
ここで、本発明の実施形態は、テレビ受像機１００と連動装置２００とリモコン装置３００との、特定の通信方式に限定されない。従って、テレビ受像機１００と連動装置２００とリモコン装置３００との通信方式として様々なものを用いることができる。例えば、テレビ受像機１００と連動装置２００とリモコン装置３００とが、赤外線通信や近距離無線通信など無線にて通信を行うようにしてもよいし、有線にて通信を行うようにしてもよい。また、テレビ受像機１００と連動装置２００との間の通信方式と、連動装置２００とリモコン装置３００との間の通信方式とは、同一であってもよいし、異なっていてもよい。また、テレビ受像機１００が、リモコン装置３００の送信する指示を、連動装置２００を介さずに直接受信するようにしてもよい。
【００２１】
テレビ番組・番組一覧情報受信部１２０は、番組や番組一覧情報を受信する。
ここで、テレビ番組・番組一覧情報受信部１２０が番組や番組一覧情報を受信する態様として様々なものを用いることができる。例えば、テレビ番組・番組一覧情報受信部１２０が、番組と番組一覧情報とを含んで放送局から送信される放送波を受信するようにしてもよい。その際、テレビ番組・番組一覧情報受信部１２０が、放送波を無線にて受信するようにしてもよいし、ケーブルテレビのように有線にて受信するようにしてもよい。あるいは、テレビ番組・番組一覧情報受信部１２０が、放送局からの放送波にて番組を受信し、番組一覧情報をインターネットから取得するなど、番組と番組一覧情報とを異なる態様にて取得するようにしてもよい。
【００２２】
表示部１３０は、液晶パネル、有機ＥＬ（Organic Electroluminescence）パネル、ＬＥＤ（Light Emitting Diode）ディスプレイまたはプラズマディスプレイなどの表示画面を有し、各種画像を表示する。特に、表示部１３０は、番組や番組一覧情報（番組表）を表示する。
【００２３】
制御部１９０は、テレビ受像機１００の各部を制御して各種処理を実行する。ここで、制御部１９０を実現する形態として様々なものを用いることができる。例えば、制御部１９０は、テレビ受像機１００の具備するＣＰＵ（Central Processing Unit、中央処理装置）が、テレビ受像機１００の具備する記憶デバイスからプログラムを読み出して実行することで実現されていてもよい。あるいは、制御部１９０は、専用のハードウェアにて実現されていてもよい。
通信制御部１９１は、通信部１１０を制御して通信を行わせる。
テレビ番組・番組一覧情報受信制御部１９２は、テレビ番組・番組一覧情報受信部１２０を制御して、番組や番組一覧情報を受信させる。
【００２４】
テレビ番組処理部１９３は、番組に対する各種処理を行う。例えば、テレビ番組処理部１９３は、テレビ番組・番組一覧情報受信部１２０の受信した番組から、ユーザの選択しているチャンネルの番組を抽出して表示制御部１９６に出力することで、表示部１３０に番組を表示させる。また、テレビ番組処理部１９３は、チャンネル切替処理や、視聴予約処理や、録画や、録画予約などを行う。
番組一覧情報処理部１９４は、テレビ番組・番組一覧情報受信制御部１９２に指示してテレビ番組・番組一覧情報受信部１２０に番組一覧情報を取得させ、テレビ番組・番組一覧情報受信部１２０の受信した番組一覧情報に基づいて番組一覧情報の画像データを生成するなど、番組一覧情報に関する各種処理を行う。
【００２５】
カーソル処理部１９５は、番組一覧情報におけるカーソルの位置を算出し、カーソル画像を生成するなど、カーソル表示のための各種処理を実行する。また、カーソル処理部１９５は、カーソルの位置情報を、通信部１１０を介して連動装置２００へ送信する。
表示制御部１９６は、表示部１３０を制御して各種画像を表示させる。特に、表示制御部１９６は、テレビ番組処理部１９３の生成する画像データに基づいて表示部１３０に番組を表示させる。また、表示制御部１９６は、番組一覧情報処理部１９４が生成する番組一覧情報の画像に、カーソル処理部１９５の算出したカーソル位置に基づいてカーソル画像を重ね、表示部１３０に表示させる。
【００２６】
図４は、連動装置２００の機能構成を示す概略ブロック図である。同図において、
連動装置２００は、対テレビ通信部２１０と、対リモコン通信部２２０と、番組情報取得部２３０と、制御部２９０とを具備する。
制御部２９０は、対テレビ通信制御部２９１と、対リモコン通信制御部２９２と、番組情報取得制御部２９３と、指示処理部２９４と、番組情報処理部２９５とを具備する。
【００２７】
対テレビ通信部２１０は、テレビ受像機１００（通信部１１０）と通信を行う。特に、対テレビ通信部２１０は、対リモコン通信部２２０の受信するリモコン装置３００からの指示をテレビ受像機１００へ送信（転送）する。また、対テレビ通信部２１０は、本発明における選択情報取得部の一例であり、テレビ受像機１００が表示する番組一覧情報のうち選択されている番組を示す情報として、番組一覧情報とカーソル位置情報とをテレビ受像機１００から受信する。
【００２８】
対リモコン通信部２２０は、リモコン装置３００と通信を行う。特に、対リモコン通信部２２０は、リモコン装置３００がユーザ操作に応じて送信する指示を受信する。また、対リモコン通信部２２０は、本発明における詳細情報通知部の一例であり、番組情報取得部２３０が取得した選択されている番組の番組情報であって、リモコン装置３００に表示させる番組情報を当該リモコン装置３００へ通知（送信）する。
番組情報取得部２３０は、本発明における詳細情報取得部の一例であり、番組一覧情報にて選択されている番組の番組情報を取得する。番組情報取得部２３０が取得する番組情報は、選択項目の詳細情報の一例である。
【００２９】
制御部２９０は、連動装置２００の各部を制御して各種処理を実行する。制御部１９０（図３）の場合と同様、制御部２９０を実現する形態として様々なものを用いることができる。例えば、制御部２９０は、連動装置２００の具備するＣＰＵが、連動装置２００の具備する記憶デバイスからプログラムを読み出して実行することで実現されていてもよい。あるいは、制御部２９０は、専用のハードウェアにて実現されていてもよい。
対テレビ通信制御部２９１は、対テレビ通信部２１０を制御して通信を行わせる。
対リモコン通信制御部２９２は、対リモコン通信部２２０を制御して通信を行わせる。
番組情報取得制御部２９３は、番組情報取得部２３０を制御して番組情報を取得させる。
【００３０】
指示処理部２９４は、対リモコン通信部２２０の受信するリモコン装置３００からの指示を、対テレビ通信部２１０を介してテレビ受像機１００へ送信する。
番組情報処理部２９５は、番組情報に関する処理を行う。具体的には、番組情報処理部２９５は、対テレビ通信部２１０の取得する番組一覧情報およびカーソル位置情報に基づいて、選択されている番組を特定し、特定した番組の番組情報の取得を番組情報取得制御部２９３に指示する。そして、番組情報処理部２９５は、当該指示に基づいて番組情報取得部２３０が取得した番組情報を、対リモコン通信部２２０を介して連動装置２００へ送信（転送）する。
【００３１】
図５は、リモコン装置３００の機能構成を示す概略ブロック図である。同図において、リモコン装置３００は、通信部３１０と、操作入力部３２０と、表示部３３０と、制御部３９０とを具備する。制御部３９０は、通信制御部３９１と、入力処理部３９２と、表示制御部３９３とを具備する。
通信部３１０は、連動装置２００（対リモコン通信部２２０）と通信を行う。特に、通信部３１０は、操作入力部３２０が受け付けたユーザ操作に応じた指示を連動装置２００へ送信する。また、通信部３１０は、連動装置２００からの番組情報を受信する。
表示部３３０は、例えば液晶パネルまたは有機ＥＬパネル等の表示画面を有して情報を表示する。特に、表示部３３０は、通信部３１０が受信した番組情報を表示する。
操作入力部３２０は、表示部３３０の表示画面に設けられたタッチセンサ（タッチパネル）を有し、当該表示画面へのタッチ操作をユーザ操作として検出する。ただし、操作入力部３２０は、ユーザ操作を受付可能であればよく、様々な形態にて実現し得る。例えば、操作入力部３２０が、タッチセンサに加えて、あるいはタッチセンサに代えて、ユーザの押下操作を受け付ける押ボタンを具備するようにしてもよい。
【００３２】
制御部３９０は、リモコン装置３００の各部を制御して各種処理を実行する。制御部１９０の場合と同様、制御部３９０を実現する形態として様々なものを用いることができる。例えば、制御部３９０は、リモコン装置３００の具備するＣＰＵが、リモコン装置３００の具備する記憶デバイスからプログラムを読み出して実行することで実現されていてもよい。あるいは、制御部３９０は、専用のハードウェアにて実現されていてもよい。
通信制御部３９１は、通信部３１０を制御して通信を行わせる。
入力処理部３９２は、操作入力部３２０が受け付けたユーザ操作を検出する。
表示制御部３９３は、表示部３３０を制御して情報を表示させる。特に、表示制御部３９３は、通信部３１０が受信した番組情報を表示部３３０に表示させる。また、表示制御部３９３は、図２（Ｂ）の例のようにユーザのタッチ操作を受け付けるための操作キーを表示部３３０に表示させる。
【００３３】
次に、図６および図７を参照して表示システム１の動作について説明する。
図６は、表示システム１が行う処理の例を示すシーケンス図である。
同図の例において、まず、テレビ受像機の電源が切断（ＯＦＦ）された状態で、リモコン装置３００が、テレビ電源ボタンの押下操作（テレビ電源ボタンのアイコンに対するタッチ操作。以下同様）を検出する（シーケンスＳ１０１）。
【００３４】
そして、リモコン装置３００は、当該操作に応じてテレビ受像機１００の起動を指示するテレビ起動指示を連動装置２００へ送信（通知）し（シーケンスＳ１０２）、連動装置２００は、当該テレビ起動指示をテレビ受像機１００へ転送する（シーケンスＳ１０３）。テレビ起動指示を受けたテレビ受像機１００は、自らの電源を接続（ＯＮ）して、番組の受信および表示を開始する（シーケンスＳ１０４）。
【００３５】
次に、リモコン装置３００は、チャンネルボタンの押下操作を検出している（シーケンスＳ１１１）。そして、リモコン装置３００は、当該操作に応じてチャンネル切替指示を連動装置２００へ送信し（シーケンスＳ１１２）、連動装置２００は、当該チャンネル切替指示をテレビ受像機１００へ転送する（シーケンスＳ１１３）。チャンネル切替指示を受けたテレビ受像機１００は、チャンネル切替処理を行って、シーケンスＳ１１１におけるユーザ操作にて指定されたチャンネルの番組を表示する（シーケンスＳ１１４）。
【００３６】
一方、リモコン装置３００は、番組表ボタンの押下操作を検出すると（シーケンスＳ１２１）、当該操作に応じて番組一覧情報表示指示を連動装置２００へ送信する（シーケンスＳ１２２）。この番組一覧情報表示指示に基づいて、表示システム１は、図２の例のように、テレビ受像機１００とリモコン装置３００とが連動して番組一覧表示と番組情報とを表示する状態へと遷移する。以下では、このテレビ受像機１００とリモコン装置３００とが連動して番組一覧表示と番組情報とを表示する状態を、「連動モード」と称する。
【００３７】
リモコン装置３００からの番組一覧表示指示を受けた連動装置２００は、当該指示をテレビ受像機１００へ送信（転送）する（シーケンスＳ１２３）。
そして、テレビ受像機１００は、当該指示に応じて番組一覧情報およびカーソルの表示を行う（シーケンスＳ１２４）。具体的には、テレビ受像機１００は、まず、番組一覧情報を受信し、カーソル位置を設定する。例えば、テレビ受像機１００は、カーソル位置を、番組一覧情報の表示画面における、現在（番組一覧情報表示開始時に）視聴中の番組の位置、または、左上端の番組の欄などの初期位置に設定する。そして、テレビ受像機１００は、番組一覧情報の表示画像を生成し、設定したカーソル位置にカーソルの画像を重ねて表示する。
【００３８】
また、テレビ受像機１００は、取得した番組一覧情報と、設定したカーソル位置を示すカーソル位置情報とを連動装置２００へ送信する（シーケンスＳ１２５）。
番組一覧情報とカーソル位置情報とを受信した連動装置２００は、これらの情報から選択されている番組を特定し、特定した番組の番組情報を取得する（シーケンスＳ１２６）。そして、連動装置２００は、取得した番組情報をリモコン装置３００へ送信し（シーケンスＳ１２７）、リモコン装置３００は、当該番組情報を表示する（シーケンスＳ１２８）。
【００３９】
その後、リモコン装置３００は、方向キーの押下操作を検出すると（シーケンスＳ１３１）、押下された方向キーに応じた方向を示すカーソル移動指示を連動装置２００へ送信し（シーケンスＳ１３２）、連動装置２００は、当該指示をテレビ受像機１００へ転送する(シーケンスＳ１３３)。
カーソル移動指示を受けたテレビ受像機１００は、番組一覧情報に重ねて表示しているカーソルを、当該指示に従って移動させる（シーケンスＳ１３４）。具体的には、テレビ受像機１００は、現在のカーソル位置と、カーソル移動指示とに基づいて、移動後のカーソル位置を算出し、算出したカーソル位置へカーソルを移動させる。その際、テレビ受像機１００は、カーソルの移動先が取得済みの番組一覧情報の範囲外となる場合は、番組一覧情報を取得し直し、番組一覧情報の表示を更新する。
【００４０】
また、テレビ受像機１００は、算出したカーソル位置を示すカーソル位置情報を連動装置２００へ送信する（シーケンスＳ１３５）。その際、テレビ受像機１００は、新たに取得した番組一覧情報があれば、当該番組一覧情報をカーソル位置情報と共に連動装置２００へ送信する。
テレビ受像機１００からのカーソル位置情報を取得した連動装置２００は、当該カーソル位置情報と番組一覧情報とに基づいて、選択されている番組を特定し、特定した番組の番組情報を取得する（シーケンスＳ１３６）。そして、連動装置２００は、取得した番組情報をリモコン装置３００へ送信し（シーケンスＳ１３７）、リモコン装置３００は、当該番組情報を表示する（シーケンスＳ１３８）。
【００４１】
一方、リモコン装置３００は、番組表示ボタン（例えば、図２（Ｂ）の決定ボタン）の押下操作を検出すると（シーケンスＳ１４１）、当該操作に応じて番組表示指示を連動装置２００へ送信する（シーケンスＳ１４２）。また、リモコン装置３００は、番組情報の表示を終了する（シーケンスＳ１４３）。これにより、表示システム１は、テレビ受像機１００とリモコン装置３００とが連動して番組一覧表示と番組情報とを表示する連動モードを終了する。
また、番組表示指示を受けた連動装置２００は、当該指示をテレビ受像機１００へ送信（転送）し、テレビ受像機１００は、当該指示に従って、選択されている番組を受信して表示する（シーケンスＳ１４５）。
【００４２】
図７は、連動装置２００が行う処理の手順を示すフローチャートである。
同図の処理において、まず、指示処理部２９４は、対リモコン通信部２２０がリモコン装置３００からの指示を受信するのを待ち受ける（ステップＳ２０１）。対リモコン通信部２２０が指示を受信すると、指示処理部２９４は、当該指示が番組一覧情報表示指示か否かを判定する（ステップＳ２０２）。
番組一覧情報表示指示ではないと判定した場合（ステップＳ２０２：ＮＯ）、指示処理部２９４は、ステップＳ２０１で受信した指示をテレビ受像機１００へ送信（転送）する（ステップＳ２１１）。その後、ステップＳ２０１へ戻る。
【００４３】
一方、ステップＳ２０２において、番組一覧情報表示指示であると判定した場合（ステップＳ２０２：ＹＥＳ）、指示処理部２９４は、当該番組一覧情報表示指示をテレビ受像機１００へ送信（転送）する（ステップＳ２２１）。番組一覧情報表示指示の受信により、連動装置２００は、テレビ受像機１００とリモコン装置３００とに番組一覧情報と番組情報とを連動して表示させる連動モードとなる。
【００４４】
そして、指示処理部２９４は、対テレビ通信部２１０がカーソル位置情報や番組一覧情報を受信するのを待ち受ける（ステップＳ２２２）。ここで、図６のシーケンスＳ１２５やシーケンスＳ１３５の例のように、番組一覧情報表示指示を受けたテレビ受像機１００は、番組一覧情報を新たに取得した場合は、当該番組一覧情報とカーソル位置情報とを送信し、取得していない場合は、カーソル位置情報のみを送信する。
【００４５】
対テレビ通信部２１０が、カーソル位置情報、あるいは、カーソル位置情報および番組一覧情報を受信すると、番組情報処理部２９５が、カーソル位置情報と番組位置情報とに基づいて、選択されている番組を特定し、番組情報取得部２３０が、当該番組の番組情報を取得する（ステップＳ２２３）。そして、番組情報処理部２９５は、番組情報取得部２３０が取得した番組情報を、対リモコン通信部２２０を介してリモコン装置３００へ送信（転送）する（ステップＳ２２４）。
【００４６】
その後、指示処理部２９４は、対リモコン通信部２２０がリモコン装置３００からの指示を受信するのを待ち受ける（ステップＳ２２５）。対リモコン通信部２２０が指示を受信すると、指示処理部２９４は、当該指示がカーソル移動指示か否かを判定する（ステップＳ２２６）。
カーソル移動指示であると判定した場合（例えば図２（Ｂ）の上下左右いずれかの方向キーが押下された場合、ステップＳ２２６：ＹＥＳ）、指示処理部２９４は、当該カーソル移動指示を、対テレビ通信部２１０を介してテレビ受像機１００へ送信（転送）する（ステップＳ２４１）。
【００４７】
一方、ステップＳ２２６において、カーソル移動指示ではないと判定した場合（例えば図２（Ｂ）の決定キーが押下された場合、ステップＳ２２６：ＮＯ）、指示処理部２９４は、当該指示を、対テレビ通信部２１０を介してテレビ受像機１００へ送信（転送）する（ステップＳ２３１）。また、当該指示により、連動装置２００は、テレビ受像機１００とリモコン装置３００とに番組一覧情報と番組情報とを連動して表示させる連動モードを終了する。
ステップＳ２３１の後、ステップＳ２０１へ戻る。
【００４８】
なお、テレビ受像機１００が、選択されている番組を連動装置２００へ通知する方法は、上述した番組一覧表示とカーソル位置情報とを送信する方法に限らない。例えば、テレビ受像機１００が、選択されている番組を示す番組識別情報を取得し（例えば番組一覧情報から読み出し）、当該番組識別情報を連動装置２００へ送信するようにしてもよい。
【００４９】
なお、本発明の実施形態における表示対象は、上述した番組一覧情報および番組情報に限らず、複数の項目を含む一覧情報と、選択項目に関する詳細情報とであればよい。
例えば、テレビ受像機１００が、ニュースの項目（例えば見出し）を一覧表示し、リモコン装置３００が、選択されているニュースの内容（例えば本文や写真等）を表示するようにしてもよい。
【００５０】
あるいは、テレビ受像機１００が、情報の階層構造を表示し、リモコン装置３００が、選択されているノードの内容を表示するようにしてもよい。例えば、ディレクトリ構成にて保存されているファイルについて、テレビ受像機１００が、ディレクトリ構造（ディレクトリのツリー表示）を表示し、リモコン装置３００が、選択されているディレクトリに含まれるフォルダの一覧を表示するようにしてもよい。
【００５１】
また、テレビ受像機１００が、表示システム１の設定項目の一覧（メニュー）を表示し、リモコン装置３００が、選択されている設定項目の説明や、当該設定項目に対する設定を行うための操作ボタンを表示するようにしてもよい。リモコン装置３００は、例えば、ＯＮ／ＯＦＦの設定を行う項目では「ＯＮ」ボタンと「ＯＦＦ」ボタンとを表示し、輝度値など定量的な設定を行う項目では「＋」ボタン（増ボタン）、「−」ボタン（減ボタン）、「決定」ボタン、および、「キャンセル」ボタンを表示する。
【００５２】
なお、表示システム１が具備するリモコン装置３００の数は、上述した１つに限らない。例えば、表示システム１が複数のリモコン装置３００を具備し、テレビ受像機１００が、リモコン装置３００毎に異なる色でカーソルを表示するなど、リモコン装置３００毎に異なる項目を選択できるようにしてもよい。この場合、番組表示指示操作など番組一覧表示を抜ける操作については、特定のリモコン装置３００のみが受け付けるようにしてもよい。あるいは、全てのリモコン装置３００が当該操作を受け付け、いずれかのリモコン装置３００が当該操作を検出すると、テレビ受像機１００が、番組一覧情報を終了して番組表示を行う、いわば早い者勝ちの処理を行うようにしてもよい。
なお、以上では、１つの装置（リモコン装置３００）にてユーザ操作の受付と番組情報の表示とを行う場合について説明したが、ユーザ操作を受け付ける装置と、番組情報を表示する装置とを別個の装置として構成してもよい。
【００５３】
以上のように、第１の実施形態において、対テレビ通信部２１０が、選択されている番組を示す情報として番組一覧情報およびカーソル位置情報を取得し、番組情報取得部２３０が、当該選択されている番組の番組情報を取得する。そして、対リモコン通信部２２０は、得られた番組情報をリモコン装置３００へ通知する。
これにより、テレビ受像機１００とリモコン装置３００とが、連動して番組一覧情報と番組情報とを表示することができる。具体的には、テレビ受像機１００が、選択されている番組の欄にカーソルを重ねて番組一覧情報を表示する。そして、リモコン装置３００は、カーソルの示す選択されている番組の番組情報を表示する。
テレビ受像機１００が番組一覧情報を表示することで、情報の一覧性を確保することができ、リモコン装置３００が番組情報を表示することで、詳細情報をユーザに提供することができる。すなわち、テレビ受像機１００が番組一覧情報（複数の項目を含む一覧情報）を表示することで、情報の受け手であるユーザに対して情報の一覧性を確保しつつ、リモコン装置３００がカーソル位置の番組の番組情報（選択項目の詳細情報）を表示することで、ユーザに対して詳細情報を提供することができる。
【００５４】
特に、テレビ受像機１００は、番組情報を表示するための表示領域を設ける必要が無いので、表示するチャンネル数や、表示対象とする時間帯をより制限する必要がない。この点において、テレビ受像機１００は、情報の一覧性を確保することができる。
また、リモコン装置３００は、ユーザの手元で用いられるので、比較的小さい文字で番組情報を表示しても、ユーザは、当該番組情報を読み取ることができる。この点において、リモコン装置３００は、より詳細な情報をユーザに提供することができる。
【００５５】
＜第２の実施形態＞
なお、以上では、テレビ受像機１００が、番組一覧表示を取得し、カーソル位置を設定する場合について説明したが、番組一覧表示の取得と、カーソル位置の設定とのいずれか一方または両方を連動装置２００が行うようにしてもよい。以下では、図８〜図１２を参照して、連動装置２００が、番組一覧表示の取得と、カーソル位置の設定とを行う場合について説明する。
【００５６】
図８は、本発明の第２の実施形態における表示システムの装置構成を示す説明図である。同図において、表示システム２は、テレビ受像機４００と、連動装置５００と、リモコン装置３００とを具備する。
表示システム１（図１）の場合と同様、テレビ受像機４００は、選択されている番組の欄にカーソルを重ねて番組情報一覧を表示する。そして、連動装置５００は、当該選択されている番組の番組情報をリモコン装置３００へ通知（送信）し、リモコン装置３００は、当該番組情報を表示する。
ただし、表示システム２では、番組一覧表示の取得と、カーソル位置の設定とを連動装置２００が行う点で、表示システム１の場合と異なる。
【００５７】
図９は、テレビ受像機４００の機能構成を示す概略ブロック図である。同図において、テレビ受像機４００は、通信部１１０と、テレビ番組受信部４２０と、表示部１３０と、制御部４９０とを具備する。制御部４９０は、通信制御部１９１と、テレビ番組受信制御部４９２と、テレビ番組処理部１９３と、表示制御部１９６とを具備する。
図９において、図３の各部に対応して同様の機能を有する部分には同一の符号（１１０、１３０、１９１、１９３、１９６）を付して説明を省略する。
【００５８】
テレビ番組受信部４２０は、番組を受信する。
テレビ番組受信制御部４９２は、テレビ番組受信部４２０を制御して、番組を受信させる。
このように、テレビ受像機１００（図３）では、テレビ番組・番組一覧情報受信部１２０が番組および番組一覧情報を受信したのに対し、テレビ受像機４００では、テレビ番組受信部４２０が番組の受信を行う。一方、表示システム２では、連動装置５００が、番組一覧情報の受信を行う。そして、テレビ受像機４００では、カーソルを重ね合わせた番組一覧情報の画像を、通信部１１０が連動装置５００から受信する。
【００５９】
図１０は、連動装置５００の機能構成を示す概略ブロック図である。同図において、
連動装置５００は、対テレビ通信部２１０と、対リモコン通信部２２０と、番組情報取得部２３０と、番組一覧情報取得部５４０と、制御部５９０とを具備する。制御部５９０は、対テレビ通信制御部２９１と、対リモコン通信制御部２９２と、番組情報取得制御部２９３と、指示処理部５９４と、番組情報処理部２９５と、番組一覧情報取得制御部５９６と、番組一覧情報処理部５９７と、カーソル処理部５９８とを具備する。
図１０において、図４の各部に対応して同様の機能を有する部分には同一の符号（２１０、２２０、２３０、２９１〜２９３、２９５）を付して説明を省略する。
【００６０】
番組一覧情報取得部５４０は、番組一覧情報を受信する。
番組一覧情報取得制御部５９６は、番組一覧情報取得部５４０を制御して、番組一覧情報を受信させる。
指示処理部５９４は、指示処理部２９４（図４）と同様、対リモコン通信部２２０の受信するリモコン装置３００からの指示を、対テレビ通信部２１０を介してテレビ受像機４００へ送信する。ただし、指示処理部５９４は、対リモコン通信部２２０が番組一覧情報表示指示またはカーソル移動指示を受信した場合、当該指示をテレビ受像機４００へ送信せず、番組一覧情報処理部５９７やカーソル処理部５９８に通知する点で指示処理部２９４と異なる。
【００６１】
番組一覧情報処理部５９７は、番組一覧情報取得制御部５９６に指示して番組一覧情報取得部５４０に番組一覧情報を取得さる。そして、番組一覧情報処理部５９７は、番組一覧情報取得部５４０の受信した番組一覧情報に基づいて番組一覧情報の画像データを生成するなど、番組一覧情報処理部１９４（図３）と同様、番組一覧情報に関する各種処理を行う。
カーソル処理部５９８は、番組一覧情報におけるカーソルの位置を算出、カーソル画像を生成するなど、カーソル処理部１９５（図３）と同様、カーソル表示のための各種処理を実行する。
このように、連動装置５００は、連動装置２００（図４）が行う処理に加えて、番組一覧情報やカーソルに関する処理を行う。
【００６２】
次に、図１１および図１２を参照して表示システム２の動作について説明する。
図１１は、表示システム２が行う処理の例を示すシーケンス図である。
同図のシーケンスＳ３０１〜Ｓ３２２は、図６のシーケンスＳ１０１〜Ｓ１２２と同様である。また、図６の場合と同様、シーケンスＳ３２２における番組一覧情報表示指示に基づいて、表示システム２は、連動モードへと遷移する。
【００６３】
また、シーケンスＳ３２２における番組一覧情報表示指示を受けた連動装置５００は、当該指示に基づいて、番組一覧情報を取得し、カーソル位置を設定して、カーソルを含む番組一覧情報の画像データを生成する（シーケンスＳ３２３）。例えば、連動装置５００は、シーケンスＳ１２４（図６）におけるテレビ受像機１００と同様、カーソル位置を、予め定められている初期位置に設定する。そして、連動装置５００は、番組一覧情報の表示画像を生成し、設定したカーソル位置にカーソルの画像を重ね合わせて、カーソルの画像を含む番組一覧情報の画像データを取得（生成）する。
【００６４】
なお、テレビ番組・番組一覧情報受信部１２０（図３）の場合と同様、連動装置５００（番組一覧情報取得部５４０）が番組一覧情報を受信する態様として様々なものを用いることができる。例えば、番組一覧情報取得部５４０が、番組と番組一覧情報とを含んで放送局から送信される放送波を受信し、番組一覧情報を抽出するようにしてもよい。その際、番組一覧情報取得部５４０が、放送波を無線にて受信するようにしてもよいし、ケーブルテレビのように有線にて受信するようにしてもよい。あるいは、番組一覧情報取得部５４０が、放送局からの放送波にて番組を受信し、番組一覧情報をインターネットから取得するなど、番組と番組一覧情報とを異なる態様にて取得するようにしてもよい。
【００６５】
次に、連動装置５００は、カーソルの画像を含む番組一覧情報の画像データをテレビ受像機４００へ送信する（シーケンスＳ３２４）。そして、テレビ受像機４００は、連動装置５００からの画像データに基づいて、カーソルの画像を含む番組一覧情報の画像を表示する（シーケンスＳ３２５）。
また、連動装置５００は、番組一覧情報とカーソル位置とに基づいて、選択されている番組を特定し、特定した番組の番組情報を取得する（シーケンスＳ３２６）。
シーケンスＳ３２７〜Ｓ３３２は、図６のシーケンスＳ１２７〜Ｓ１３２と同様である。
【００６６】
シーケンスＳ３３２におけるカーソル移動指示を受けた連動装置５００は、テレビ受像機１００が番組一覧情報に重ねて表示するカーソルを、当該指示に従って移動させる（シーケンスＳ３３３）。具体的には、連動装置５００は、シーケンスＳ１３４（図６）におけるテレビ受像機１００と同様、現在のカーソル位置と、カーソル移動指示とに基づいて、移動後のカーソル位置を算出し、算出したカーソル位置へカーソルを移動させ、カーソルを含む番組一覧情報の画像データを生成する。その際、連動装置５００は、カーソルの移動先が取得済みの番組一覧情報の範囲外となる場合は、番組一覧情報を取得し直す。
【００６７】
そして、連動装置５００は、カーソルの画像を含む番組一覧情報の画像データをテレビ受像機４００へ送信する（シーケンスＳ３３４）。そして、テレビ受像機４００は、連動装置５００からの画像データに基づいて、カーソルの画像を含む番組一覧情報の画像を表示する（シーケンスＳ３３５）。
また、連動装置５００は、番組一覧情報とカーソル位置とに基づいて、選択されている番組を特定し、特定した番組の番組情報を取得する（シーケンスＳ３３６）。
シーケンスＳ３３７〜Ｓ３４５は、図６のシーケンスＳ１３７〜Ｓ１４５と同様である。
【００６８】
図１２は、連動装置５００が行う処理の手順を示すフローチャートである。
同図の処理において、ステップＳ４０１、Ｓ４０２およびＳ４４１は、図７のステップＳ２０１、Ｓ２０２およびＳ２１１と同様である。
ステップＳ４０２において、番組一覧情報表示指示であると判定した場合（ステップＳ４０２：ＹＥＳ）、指示処理部５９４は、当該指示を受信したことを番組一覧情報処理部５９７へ通知し、番組一覧情報処理部５９７は、当該通知に基づいて番組一覧情報を取得する（ステップＳ４２１）。
また、指示処理部５９４は、番組一覧情報表示指示を受信したことをカーソル処理部５９８へも通知し、カーソル処理部５９８は、当該通知に基づいてカーソル位置の設定を行う（ステップＳ４２２）。例えば、カーソル処理部５９８は、図１１のシーケンスＳ３２３で説明したように、カーソル位置を、予め定められている初期位置に設定する。
【００６９】
次に、番組一覧情報処理部５９７は、番組一覧情報表示の表示画像を生成し、カーソル処理部５９８が設定したカーソル位置にカーソルの画像を重ね合わせて、カーソルの画像を含む番組一覧情報の画像データを取得（生成）する（ステップＳ４２３）。
そして、番組一覧情報処理部５９７は、生成したカーソルの画像を含む番組一覧情報の画像データを、対テレビ通信部２１０を介してテレビ受像機４００へ送信する（ステップＳ４２４）。
【００７０】
また、番組情報処理部２９５は、番組一覧情報取得部５４０が取得した番組一覧情報と、カーソル処理部５９８が設定したカーソル位置とに基づいて、選択されている番組を特定し、番組情報取得部２３０が、当該番組の番組情報を取得する（ステップＳ４２５）。
ステップＳ４２６〜Ｓ４２８およびＳ４３１は、図７のステップＳ２２４〜Ｓ２２６およびＳ２３１と同様である。
【００７１】
ステップＳ４２８において、カーソル移動指示であると判定した場合（ステップＳ４２８：ＹＥＳ）、指示処理部５９４は、当該指示を受信したことをカーソル処理部５９８へ通知し、カーソル処理部５９８は、現在のカーソル位置とカーソル移動指示とに基づいて、移動後のカーソル位置を算出する（ステップＳ４４１）。その際、カーソルの移動先が取得済みの番組一覧情報の範囲外となる場合は、番組一覧情報取得部５４０が、番組一覧情報取得制御部５９６の制御に従って、移動後のカーソル位置に該当する番組欄を含む番組一覧情報を取得する。
その後、ステップＳ４２３へ戻る。
【００７２】
以上のように、テレビ受像機４００に代えて連動装置５００が番組一覧表示の取得と、カーソル位置の設定とを行う。これにより、表示システム１（図１）の場合と同様、テレビ受像機４００とリモコン装置３００とが、連動して番組一覧情報と番組情報とを表示することができる。
【００７３】
＜第３の実施形態＞
なお、本発明の実施形態における連動装置は、単独の装置として構成されていなくてもよい。連動装置は、テレビ受像機と一体化されていてもよいし、リモコン装置と一体化されていてもよい。また、テレビ受像機と連動装置とが、無線通信用にテレビ受像機に接続されたセットトップボックスを介して通信を行うなど、テレビ受像機と連動装置との間や、リモコン装置と連動装置との間のいずれか一方または両方に、さらに他の装置が設けられていてもよい。
以下では、図１３〜図１４を参照して、連動装置がテレビ受像機と一体化されている場合について説明する。
【００７４】
図１３は、本発明の第３の実施形態における表示システムの装置構成を示す説明図である。同図において、表示システム３は、テレビ受像機６００と、リモコン装置３００とを具備する。
テレビ受像機６００は、表示システム１（図１）におけるテレビ受像機１００と連動装置２００とが一体化された装置である。
【００７５】
図１４は、テレビ受像機６００の機能構成を示す概略ブロック図である。同図において、テレビ受像機６００は、テレビ番組・番組一覧情報受信部１２０と、表示部１３０と、対リモコン通信部２２０と、番組情報取得部２３０と、制御部６９０とを具備する。制御部６９０は、テレビ番組・番組一覧情報受信制御部１９２と、テレビ番組処理部１９３と、番組一覧情報処理部１９４と、カーソル処理部１９５と、表示制御部１９６と、対リモコン通信制御部２９２と、番組情報取得制御部２９３と、指示処理部２９４と、番組情報処理部２９５とを具備する。
【００７６】
図１４において、図３の各部または図４の各部に対応して同様の機能を有する部分には同一の符号（１２０、１３０、１９２〜１９６、２２０、２３０、２９２〜２９５）を付している。テレビ受像機６００と、テレビ受像機１００（図３）および連動装置２００（図４）とを比較すると、テレビ受像機６００は、テレビ受像機１００および連動装置２００の各部のうち、テレビ受像機１００と連動装置２００との間の通信を行う機能部（通信部１１０、通信制御部１９１、対テレビ通信部２１０および対テレビ通信制御部２９１）を除いて各部を具備している。
かかる構成により、テレビ受像機６００は、テレビ受信機１００が行う処理と連動装置２００が行う処理とを併せて実行する。これにより、表示システム１（図１）の場合と同様、テレビ受像機６００とリモコン装置３００とが、連動して番組一覧情報と番組情報とを表示することができる。
【００７７】
なお、テレビ受像機における制御部１９０、４９０または６９０や、連動装置における制御部２９０または５９０や、リモコン装置における制御部３９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００７８】
以上、この発明の実施形態について図面を参照して詳述してきたが、具体的な構成はこの実施形態に限られるものではなく、この発明の要旨を逸脱しない範囲の設計変更等も含まれる。
【符号の説明】
【００７９】
１、２、３  表示システム
１００、４００、６００  テレビ受像機
１１０、３１０  通信部
１２０  テレビ番組・番組一覧情報受信部
１３０、３３０  表示部
１９０、２９０、３９０、４９０、５９０、６９０  制御部
１９１、３９１  通信制御部
１９２  テレビ番組・番組一覧情報受信制御部
１９３  テレビ番組処理部
１９４、５９７  番組一覧情報処理部
１９５、５９８  カーソル処理部
１９６、３９３  表示制御部
２００、５００  連動装置
２１０  対テレビ通信部
２２０  対リモコン通信部
２３０  番組情報取得部
２９１  対テレビ通信制御部
２９２  対リモコン通信制御部
２９３  番組情報取得制御部
２９４、５９４  指示処理部
２９５  番組情報処理部
３００  リモコン装置
３２０  操作入力部
３９２  入力処理部
４２０  テレビ番組受信部
４９２  テレビ番組受信制御部
５４０  番組一覧情報取得部
５９６  番組一覧情報取得制御部
【図１】
2014053668.tif 000003
【図２】
2014053668.tif 000004
【図３】
2014053668.tif 000005
【図４】
2014053668.tif 000006
【図５】
2014053668.tif 000007
【図６】
2014053668.tif 000008
【図７】
2014053668.tif 000009
【図８】
2014053668.tif 000010
【図９】
2014053668.tif 000011
【図１０】
2014053668.tif 000012
【図１１】
2014053668.tif 000013
【図１２】
2014053668.tif 000014
【図１３】
2014053668.tif 000015
【図１４】
2014053668.tif 000016